(57)【要約】【課題】好みの場所で普段すれ違う程度の身近な人の中から出会い、仲間を簡易に探す。【解決手段】マッチングシステムに所定時間毎に位置情報を算出するＧＰＳ測位部102と、携帯通信端末100間で近距離通信を行い、相手の識別情報を取得する近距離通信部108と、通信状態からマッチングモードへ移行する所定空間を保持するマッチングモード移行条件保存部110Aと、携帯通信端末の位置情報が所定空間に位置する場合にはマッチングモードへの移行と判定し、近距離通信部を起動し相手の識別情報、自己の識別情報を情報サーバに送信するマッチングモード移行制御部111Bと、携帯通信端末から送信されたプロフィール情報、マッチング条件を識別情報毎に保持するデータベースと、データベースを参照し相手のプロフィール情報に対する自己のマッチング条件に一致するマッチング度を判定し返信するマッチング判定部203とを備える。【選択図】図１
2006172223.tif 000002
【特許請求の範囲】
【請求項１】
出会い、仲間を求めるためのマッチングの判定を行うマッチングシステムにおいて、
通信ネットワークに無線で接続される複数のＧＰＳ機能付き携帯通信端末の各々でＧＰＳ衛星からの電波を受信して所定時間毎に位置情報を算出するＧＰＳ測位部と、
ＧＰＳ機能付き携帯通信端末間で近距離通信を行い、相手の識別情報を取得する近距離通信部と、
ＧＰＳ機能付き携帯通信端末の通信状態からマッチングの判定を行うマッチングモードへ移行する位置条件として所定範囲内の空間を保持するマッチングモード移行条件保存部と、
前記ＧＰＳ測位部から位置情報を算出し、算出した位置情報と前記マッチングモード移行条件保存部に保持される前記所定範囲の空間とを比較しＧＰＳ機能付き携帯通信端末が所定範囲内の空間に位置する場合にはマッチングモードへの移行と判定し、前記近距離通信部を起動し取得した相手の識別情報、自己の識別情報を前記通信ネットワークに送信するマッチングモード移行制御部と、
前記通信ネットワークに接続される情報サーバで前記複数のＧＰＳ機能付き携帯通信端末の各々から送信されたプロフィール情報、マッチング条件を識別情報毎に保持する利用者情報データベースと、
前記マッチングモード移行制御部から前記通信ネットワークを介して、相手の識別情報と自己の識別情報を前記情報サーバで受信し、前記利用者情報データベースを参照し相手の識別情報に対するプロフィール情報のうち自己の識別情報に対する自己のマッチング条件に一致する割合からマッチング度を判定し、相手の識別情報、自己の識別情報を送信したＧＰＳ機能付き携帯通信端末にマッチングの判定結果を返信するマッチング判定部とを備えることを特徴とするマッチングシステム。
【請求項２】
前記近距離通信部は、アンテナコイル・メモリを有し自己の識別情報を記憶し、発信する無線ＩＣタグであることを特徴とする、請求項１に記載のマッチングシステム。
【請求項３】
前記近距離通信部は、赤外線でデータを通信する赤外線データ通信部であり、前記マッチングモード移行制御部は、マッチングモードへの移行と判定した場合のみ、自己の識別情報の送信、相手の識別情報の受信を行うことを特徴とする、請求項１に記載のマッチングシステム。
【請求項４】
前記近距離通信部は、無線でデータを通信するＢｌｕｅｔｏｏｔｈデータ通信部であり、前記マッチングモード移行制御部は、マッチングモードへの移行と判定した場合のみ、自己の識別情報の送信、相手の識別情報の受信を行うことを特徴とする、請求項１に記載のマッチングシステム。
【請求項５】
前記利用者情報データベースはプロフィール情報として、識別情報毎に、氏名、性別、年令、身長、体重、写真、職業（年収）、住所、電話番号、メールアクセス、ＵＲＬ、趣味、スポーツ、ボランティア活動を含む情報を保持し、マッチング条件として、識別情報毎にサークル仲間、ゲーム友、メル友、恋人、ボランティア仲間を含む相手を求めるマッチング条件を保持することを特徴とする、請求項１に記載のマッチングシステム。
【請求項６】
前記マッチング判定部はＧＰＳ機能付き携帯通信端末にマッチングの判定結果を返信する際にマッチング度と共に相手のアクセス情報を送信することを特徴とする、請求項１に記載のマッチングシステム。
【請求項７】
前記相手のアクセス情報は、メールアドレス、ＵＲＬ、電話番号、住所を含むことを特徴とする、請求項６に記載のマッチングシステム。
【請求項８】
前記マッチング判定部はＧＰＳ機能付き携帯通信端末にマッチングの判定結果を返信する際にマッチング度を図形の個数でＧＰＳ機能付き携帯通信端末に表示させることを特徴とする、請求項１に記載のマッチングシステム。
【請求項９】
前記マッチング判定部はＧＰＳ機能付き携帯通信端末にマッチングの判定結果を返信する際にマッチング度をパーセントでＧＰＳ機能付き携帯通信端末に表示させることを特徴とする、請求項１に記載のマッチングシステム。
【請求項１０】
前記近距離通信部は、近距離のＧＰＳ機能付き携帯通信端末間で識別情報と共に、簡易のマッチング条件の通信を行い、相手の識別情報と共に簡易のマッチング条件を取得し、相手の識別情報と共に簡易のマッチング条件を表示させることを特徴とする、請求項１に記載のマッチングシステム。
【請求項１１】
前記マッチングモード移行条件保存部は前記所定範囲内の空間を複数保持することを特徴とする、請求項１に記載のマッチングシステム。
【請求項１２】
前記マッチングモード移行条件保存部に保持される前記所定範囲内の空間の設定を変更可能にすることを特徴とする、請求項１に記載のマッチングシステム。
【請求項１３】
出会い、仲間を求めるためのマッチングの判定を行うマッチング方法において、
通信ネットワークに無線で接続される複数のＧＰＳ機能付き携帯通信端末の各々で通信状態からマッチングの判定を行うマッチングモードへ移行する位置条件として所定範囲内の空間をメモリに保持する工程と、
前記複数のＧＰＳ機能付き携帯通信端末の各々から前記通信ネットワークを介して情報サーバに識別情報毎にプロフィール情報、マッチング条件を送信しデータベースに保持する工程と、
前記複数のＧＰＳ機能付き携帯通信端末の各々でＧＰＳ衛星からの電波を受信して所定時間毎に位置情報を算出する工程と、
算出した前記位置情報と保持される所定範囲内の空間とを比較しＧＰＳ機能付き携帯通信端末が所定範囲内の空間に位置する場合にはマッチングモードへの移行と判定する工程と、
マッチングモードへの移行を判定した場合、ＧＰＳ機能付き携帯通信端末間で近距離通信を行い、相手の識別情報を取得する工程と、
前記ＧＰＳ機能付き携帯通信端末から前記通信ネットワークを介して前記情報サーバに取得した相手の識別情報、自己の識別情報を送信する工程と、
前記情報サーバで相手の識別情報と自己の識別情報を受信し、前記データベースを参照し相手の識別情報に対するプロフィール情報のうち自己の識別情報に対する自己のマッチング条件に一致する割合からマッチング度を判定し、相手の識別情報、自己の識別情報を送信したＧＰＳ機能付き携帯通信端末にマッチングの判定結果を返信する工程とを備えることを特徴とするマッチング方法。
【請求項１４】
出会い、仲間を求めるためのマッチングの判定をコンピュータで実行するプログラムにおいて、
通信ネットワークに無線で接続される複数のＧＰＳ機能付き携帯通信端末の各々で通信状態からマッチングの判定を行うマッチングモードへ移行する位置条件として所定範囲内の空間をメモリに保持する手順と、
前記複数のＧＰＳ機能付き携帯通信端末の各々から前記通信ネットワークを介して情報サーバに識別情報毎にプロフィール情報、マッチング条件を送信しデータベースに保持する手順と、
前記複数のＧＰＳ機能付き携帯通信端末の各々でＧＰＳ衛星からの電波を受信して所定時間毎に位置情報を算出する手順と、
算出した前記位置情報と保持される所定範囲内の空間とを比較しＧＰＳ機能付き携帯通信端末が所定範囲内の空間に位置する場合にはマッチングモードへの移行と判定する手順と、
マッチングモードへの移行を判定した場合、ＧＰＳ機能付き携帯通信端末間で近距離通信を行い、相手の識別情報を取得する手順と、
前記ＧＰＳ機能付き携帯通信端末から前記通信ネットワークを介して前記情報サーバに取得した相手の識別情報、自己の識別情報を送信する手順と、
前記情報サーバで相手の識別情報と自己の識別情報を受信し、前記データベースを参照し相手の識別情報に対するプロフィール情報のうち自己の識別情報に対する自己のマッチング条件に一致する割合からマッチング度を判定し、相手の識別情報、自己の識別情報を送信したＧＰＳ機能付き携帯通信端末にマッチングの判定結果を返信する手順とを備えることを特徴とするマッチングの判定をコンピュータで実行するプログラム。
【請求項１５】
出会い、仲間を求めるためのマッチングの判定を行うためのＧＰＳ機能付き携帯通信端末において、
ＧＰＳ衛星からの電波を受信して所定時間毎に位置情報を算出するＧＰＳ測位部と、
ＧＰＳ機能付き携帯通信端末間で近距離通信を行い、相手の識別情報を取得する近距離通信部と、
ＧＰＳ機能付き携帯通信端末の通信状態からマッチングの判定を行うマッチングモードへ移行する位置条件として所定範囲内の空間を保持するマッチングモード移行条件保存部と、
ＧＰＳ機能付き携帯通信端末から通信ネットワークを介して情報サーバのデータベースに認識情報毎にプロフィール情報、マッチング条件を登録するマッチング情報登録部と、
前記ＧＰＳ測位部から位置情報を算出し、算出した位置情報と前記マッチングモード移行条件保存部に保持される前記所定範囲の空間とを比較しＧＰＳ機能付き携帯通信端末が所定範囲内の空間に位置する場合にはマッチングモードへの移行と判定し、前記近距離通信部を起動し取得した相手の識別情報、自己の識別情報を、前記通信ネットワークを介して、前記情報サーバに送信し、前記情報サーバで前記データベースの参照を基に判定されたマッチングの判定結果の返信を受信することを特徴とするＧＰＳ機能付き携帯通信端末。
【請求項１６】
出会い、仲間を求めるためのマッチングの判定を行うための情報サーバにおいて、
通信ネットワークを介して前記情報サーバに接続される複数のＧＰＳ機能付き携帯通信端末の各々から送信されたプロフィール情報、マッチング条件を識別情報毎に保持する利用者情報データベースと、
前記複数のＧＰＳ機能付き携帯通信端末の各々から相手の識別情報と自己の識別情報を受信し、前記利用者情報データベースを参照し相手の識別情報に対するプロフィール情報のうち自己の識別情報に対する自己のマッチング条件に一致する割合からマッチング度を判定し、前記情報サーバから前記通信ネットワークを介して相手の識別情報、自己の識別情報を送信したＧＰＳ機能付き携帯通信端末にマッチングの判定結果を返信するマッチング判定部とを備えることを特徴とする情報サーバ。
【発明の詳細な説明】
【技術分野】
【０００１】
本発明は出会いを求める人、同じ趣味等を持つ仲間を作りたい人に対して条件が一致する人を探して情報を提供するマッチングシステムに関する。特に、本発明は、ユーザの任意の好みの場所で普段すれ違う程度の身近な人の中から新しい出会い、同じ趣味などを持つ仲間（友人）を簡易に、気軽に探すことを可能にするマッチングシステム、方法、コンピュータで実現するプログラム、ＧＰＳ機能付き携帯通信端末及び情報サーバに関する。
【背景技術】
【０００２】
従来、出会いを求める人、同じ趣味などを持つ仲間（サークル）を作りたい場合は、所定のｗｅｂサイトにアクセスして個人情報（プロフィール）を登録・公開し、又は登録・公開された他人の個人情報（プロフィール）を閲覧し、条件に一致する人を探していた。
また、結婚相談所のように所定の登録料金を支払うことで、条件と一致した人を紹介するサービスも存在している。
【０００３】
しかしながら、ユーザの任意の好みの場所で普段すれ違う程度の身近な人の中から新しい出会い、同じ趣味などを持つ仲間（友人）を探す場合には、ｗｅｂサイト利用による出会い、サークル仲間の募集ではユーザにとって煩雑過ぎ、有料サービスの利用などでは煩雑ではなくても高価過ぎ、簡易に、気軽に、また安価に利用できないという問題がある。
このような問題に関連して以下のような従来技術が存在する。
【０００４】
従来、時間を要することなく、条件が合致する相手を確実に見付け出し、相手方の条件を即時に把握できるシステムを提供するため、相手方に求める条件と、自分の提示できる条件とを、対にしてデータベースに登録する登録ステップと、相手方に求める条件と、自分の提示できる条件とが一致するか否かを判断する判断ステップとを具備するものがある（例えば、特許文献１参照）。
【０００５】
しかしながら、上記特許文献１では、相手方に求める条件と、自分の提示できる条件とが一致するか否かを判断するが、前述のように、ユーザの任意の好みの場所で普段すれ違う程度の身近な人の中から新しい出会い、同じ趣味などを持つ仲間（友人）を簡易に、気軽に探すという課題を解決することができない。
また、従来、出会いを支援するため、出会い支援装置は、携帯端末装置から送信される相手候補検索のための検索キー情報を受信し、この受信した検索キー情報に基づいて、待受け状態にある者のみを検索対象として相手候補を検索し、携帯端末装置に検索結果を送信し、したがって、出会い支援装置は、携帯端末装置からの検索キー情報の入力のみで、待受け状態にある相手候補を検索し、この検索結果を配信することができるものがある（例えば、特許文献２参照）。
【０００６】
しかしながら、上記特許文献２では、携帯端末装置からの検索キー情報の入力のみで、待受け状態にある相手候補を検索し、この検索結果を配信するが、前述のように、ユーザの任意の好みの場所で普段すれ違う程度の身近な人の中から新しい出会い、同じ趣味などを持つ仲間（友人）を簡易に、気軽に探すという課題を解決することができない。
また、従来、「偶然に近くに居る」というチャンスを逃がさずに、フェイス・ツー・フェイスの出会いを実現できるシステムを提供するため、第１のユーザが自己に関するキー・データ（自己のキー・データ又は自己が出会いたい人・連絡したい人に関するキー・データ）を記録する記録手段と、このキー・データを無線により近傍のエリア内に送信する送信手段とを含む、第１の移動体通信端末、及び、第２のユーザが自己に関するキー・データ（自己のキー・データ又は自己が出合いたい人・連絡したい人に関するキー・データ）を記録する記録手段と、前記の第１の通信端末から無線送信されたキー・データを受信する受信手段と、この受信したキー・データが第２のユーザに関するキー・データと一致又は関連しているとき、そのことを第２のユーザに知らせるための告知手段を含む第２の移動体通信端末を備えた出会い・連絡支援システムによるものがある（例えば、特許文献３参照）。
【０００７】
しかしながら、上記特許文献３では、「偶然に近くに居る」というチャンスを逃がさずに、フェイス・ツー・フェイスの出会いを実現できるが、前述のように、ユーザの任意の好みの場所で普段すれ違う程度の身近な人の中から新しい出会い、同じ趣味などを持つ仲間（友人）を簡易に、気軽に求めるという課題を解決することができない。
また、従来、相性の良い相手と巡り会えた場合、例えば携帯通信端末に付与された電話番号等を自動的に交換することで、相性診断の結果を無駄にしない相性診断機能付き携帯通信端末を提供するため、Ｂｌｕｅｔｏｏｔｈ用無線部を介して、相手の個人データを取得した制御部１は、記憶部に予め設定されたユーザの個人データと相手の個人データを比較して、相性診断を行い、相性診断の結果が良かった場合、制御部は、Ｂｌｕｅｔｏｏｔｈ用無線部を介して、相手の携帯通信端末に付与された携帯電話機としての電話番号を取得し、制御部は、取得した電話番号により携帯通信用無線部を用いて、相手の携帯通信端末へ電話をかけて連絡を取るものがある（例えば、特許文献４参照）。
【０００８】
しかしながら、上記特許文献４では、相性の良い相手と巡り会えた場合、携帯通信端末に付与された電話番号等を自動的に交換するが、前述のように、ユーザの任意の好みの場所で普段すれ違う程度の身近な人の中から新しい出会い、同じ趣味などを持つ仲間（友人）を簡易に、気軽に求めるという課題を解決することができない。さらに、上記特許文献４では、携帯通信端末には自身で記憶部に予め設定されたユーザの個人データと相手の個人データを比較して、相性診断を行うので負担が大きいという問題がある。
【０００９】
また、従来、消費者が体質等の個人の特性に合わない商品を購入することを予防できるようにした商品情報配信システムを提供するため、携帯記憶媒体は、第１の識別子が記憶された記憶手段を具備し、読取装置は、該読取装置を特定する第２の識別子が記憶された記憶手段と、前記第１の識別子を読み取る送受信手段と、第１及び第２の識別子をサーバに送信する第１の通信手段とを具備し、サーバは、第２の通信手段と、第１の識別子で個人情報とメールアドレスとを特定可能に登録した個人情報データベースと、第２の識別子で商品の特性情報を特定可能に登録した商品情報データベースと、前記データベースから、第２の通信手段で受信した第１及び第２の識別子で特定された個人情報と特性情報とを抽出し、相性判断する相性判定手段と、この判定結果情報を第１の識別子で特定されたメールアドレスに対して送信させる制御手段と、を備えたものがある（例えば、特許文献５参照）。
【００１０】
しかしながら、上記特許文献５では、携帯電話機と、携帯記憶媒体と、読取装置と、サーバとを用いて消費者の携帯電話機に商品の情報を配信するが、前述のように、ユーザの任意の好みの場所で普段すれ違う程度の身近な人の中から新しい出会い、同じ趣味などを持つ仲間（友人）を簡易に、気軽に求めるという課題を解決することができない。
【００１１】
【特許文献１】特開２０００−２４２６５７号公報
【特許文献２】特開２００２−００７７６０号公報
【特許文献３】特開２００２−０２４１１３号公報
【特許文献４】特開２００２−３００２９６号公報
【特許文献５】特開２００４−０８６３９９号公報
【発明の開示】
【発明が解決しようとする課題】
【００１２】
したがって、本発明は上記問題点に鑑みて、ユーザの任意の好みの場所で普段すれ違う程度の身近な人の中から新しい出会い、同じ趣味などを持つ仲間（友人）を簡易に、気軽に探すことを可能にするマッチングシステム、方法、コンピュータで実現するプログラム、ＧＰＳ機能付き携帯通信端末及び情報サーバを提供することを目的とする。
【課題を解決するための手段】
【００１３】
本発明は前記問題点を解決するために、出会い、仲間を求めるためのマッチングの判定を行うマッチングシステムにおいて、通信ネットワークに無線で接続される複数のＧＰＳ機能付き携帯通信端末の各々でＧＰＳ衛星からの電波を受信して所定時間毎に位置情報を算出するＧＰＳ測位部と、ＧＰＳ機能付き携帯通信端末間で近距離通信を行い、相手の識別情報を取得する近距離通信部と、ＧＰＳ機能付き携帯通信端末の通信状態からマッチングの判定を行うマッチングモードへ移行する位置条件として所定範囲内の空間を保持するマッチングモード移行条件保存部と、前記ＧＰＳ測位部から位置情報を算出し、算出した位置情報と前記マッチングモード移行条件保存部に保持される前記所定範囲の空間とを比較しＧＰＳ機能付き携帯通信端末が所定範囲内の空間に位置する場合にはマッチングモードへの移行と判定し、前記近距離通信部を起動し取得した相手の識別情報、自己の識別情報を前記通信ネットワークに送信するマッチングモード移行制御部と、前記通信ネットワークに接続される情報サーバで前記複数のＧＰＳ機能付き携帯通信端末の各々から送信されたプロフィール情報、マッチング条件を識別情報毎に保持する利用者情報データベースと、前記マッチングモード移行制御部から前記通信ネットワークを介して、相手の識別情報と自己の識別情報を前記情報サーバで受信し、前記利用者情報データベースを参照し相手の識別情報に対するプロフィール情報のうち自己の識別情報に対する自己のマッチング条件に一致する割合からマッチング度を判定し、相手の識別情報、自己の識別情報を送信したＧＰＳ機能付き携帯通信端末にマッチングの判定結果を返信するマッチング判定部とを備えることを特徴とするマッチングシステムを提供する。
【００１４】
さらに、前記近距離通信部は、アンテナコイル・メモリを有し自己の識別情報を記憶し、発信する無線ＩＣタグである。
さらに、前記近距離通信部は、赤外線でデータを通信するＢｌｕｅｔｏｏｔｈデータ通信部であり、前記マッチングモード移行制御部は、マッチングモードへの移行と判定した場合のみ、自己の識別情報の送信、相手の識別情報の受信を行う。
【００１５】
さらに、前記近距離通信部は、無線でデータを通信する赤外線データ通信部であり、前記マッチングモード移行制御部は、マッチングモードへの移行と判定した場合のみ、自己の識別情報の送信、相手の識別情報の受信を行う。
さらに、前記利用者情報データベースはプロフィール情報として、識別情報毎に、氏名、性別、年令、身長、体重、写真、職業（年収）、住所、電話番号、メールアクセス、ＵＲＬ、趣味、スポーツ、ボランティア活動を含む情報を保持し、マッチング条件として、識別情報毎にサークル仲間、ゲーム友、メル友、恋人、ボランティア仲間を含む相手を求めるマッチング条件を保持する。
【００１６】
さらに、前記マッチング判定部はＧＰＳ機能付き携帯通信端末にマッチングの判定結果を返信する際にマッチング度と共に相手のアクセス情報を送信する。
さらに、前記相手のアクセス情報は、メールアドレス、ＵＲＬ、電話番号、住所を含む。
さらに、前記マッチング判定部はＧＰＳ機能付き携帯通信端末にマッチングの判定結果を返信する際にマッチング度を図形の個数でＧＰＳ機能付き携帯通信端末に表示させる。
【００１７】
さらに、前記マッチング判定部はＧＰＳ機能付き携帯通信端末にマッチングの判定結果を返信する際にマッチング度をパーセントでＧＰＳ機能付き携帯通信端末に表示させる。
さらに、前記近距離通信部は、近距離のＧＰＳ機能付き携帯通信端末間で識別情報と共に、簡易のマッチング条件の通信を行い、相手の識別情報と共に簡易のマッチング条件を取得し、相手の識別情報と共に簡易のマッチング条件を表示させる。
【００１８】
さらに、前記マッチングモード移行条件保存部は前記所定範囲内の空間を複数保持する。
さらに、前記マッチングモード移行条件保存部に保持される前記所定範囲内の空間の設定を変更可能にする。
さらに、本発明は、出会い、仲間を求めるためのマッチングの判定を行うマッチング方法において、通信ネットワークに無線で接続される複数のＧＰＳ機能付き携帯通信端末の各々で通信状態からマッチングの判定を行うマッチングモードへ移行する位置条件として所定範囲内の空間をメモリに保持する工程と、前記複数のＧＰＳ機能付き携帯通信端末の各々から前記通信ネットワークを介して情報サーバに識別情報毎にプロフィール情報、マッチング条件を送信しデータベースに保持する工程と、前記複数のＧＰＳ機能付き携帯通信端末の各々でＧＰＳ衛星からの電波を受信して所定時間毎に位置情報を算出する工程と、算出した前記位置情報と保持される所定範囲内の空間とを比較しＧＰＳ機能付き携帯通信端末が所定範囲内の空間に位置する場合にはマッチングモードへの移行と判定する工程と、マッチングモードへの移行を判定した場合、ＧＰＳ機能付き携帯通信端末間で近距離通信を行い、相手の識別情報を取得する工程と、前記ＧＰＳ機能付き携帯通信端末から前記通信ネットワークを介して前記情報サーバに取得した相手の識別情報、自己の識別情報を送信する工程と、前記情報サーバで相手の識別情報と自己の識別情報を受信し、前記データベースを参照し相手の識別情報に対するプロフィール情報のうち自己の識別情報に対する自己のマッチング条件に一致する割合からマッチング度を判定し、相手の識別情報、自己の識別情報を送信したＧＰＳ機能付き携帯通信端末にマッチングの判定結果を返信する工程とを備えることを特徴とするマッチング方法を提供する。
【００１９】
さらに、本発明は、出会い、仲間を求めるためのマッチングの判定をコンピュータで実行するプログラムにおいて、通信ネットワークに無線で接続される複数のＧＰＳ機能付き携帯通信端末の各々で通信状態からマッチングの判定を行うマッチングモードへ移行する位置条件として所定範囲内の空間をメモリに保持する手順と、前記複数のＧＰＳ機能付き携帯通信端末の各々から前記通信ネットワークを介して情報サーバに識別情報毎にプロフィール情報、マッチング条件を送信しデータベースに保持する手順と、前記複数のＧＰＳ機能付き携帯通信端末の各々でＧＰＳ衛星からの電波を受信して所定時間毎に位置情報を算出する手順と、算出した前記位置情報と保持される所定範囲内の空間とを比較しＧＰＳ機能付き携帯通信端末が所定範囲内の空間に位置する場合にはマッチングモードへの移行と判定する手順と、マッチングモードへの移行を判定した場合、ＧＰＳ機能付き携帯通信端末間で近距離通信を行い、相手の識別情報を取得する手順と、前記ＧＰＳ機能付き携帯通信端末から前記通信ネットワークを介して前記情報サーバに取得した相手の識別情報、自己の識別情報を送信する手順と、前記情報サーバで相手の識別情報と自己の識別情報を受信し、前記データベースを参照し相手の識別情報に対するプロフィール情報のうち自己の識別情報に対する自己のマッチング条件に一致する割合からマッチング度を判定し、相手の識別情報、自己の識別情報を送信したＧＰＳ機能付き携帯通信端末にマッチングの判定結果を返信する手順とを備えることを特徴とするマッチングの判定をコンピュータで実行するプログラムを提供する。
【００２０】
さらに、本発明は、出会い、仲間を求めるためのマッチングの判定を行うためのＧＰＳ機能付き携帯通信端末において、ＧＰＳ衛星からの電波を受信して所定時間毎に位置情報を算出するＧＰＳ測位部と、ＧＰＳ機能付き携帯通信端末間で近距離通信を行い、相手の識別情報を取得する近距離通信部と、ＧＰＳ機能付き携帯通信端末の通信状態からマッチングの判定を行うマッチングモードへ移行する位置条件として所定範囲内の空間を保持するマッチングモード移行条件保存部と、ＧＰＳ機能付き携帯通信端末から通信ネットワークを介して情報サーバのデータベースに認識情報毎にプロフィール情報、マッチング条件を登録するマッチング情報登録部と、前記ＧＰＳ測位部から位置情報を算出し、算出した位置情報と前記マッチングモード移行条件保存部に保持される前記所定範囲の空間とを比較しＧＰＳ機能付き携帯通信端末が所定範囲内の空間に位置する場合にはマッチングモードへの移行と判定し、前記近距離通信部を起動し取得した相手の識別情報、自己の識別情報を、前記通信ネットワークを介して、前記情報サーバに送信し、前記情報サーバで前記データベースの参照を基に判定されたマッチングの判定結果の返信を受信することを特徴とするＧＰＳ機能付き携帯通信端末を提供する。
【００２１】
さらに、本発明は、出会い、仲間を求めるためのマッチングの判定を行うための情報サーバにおいて、通信ネットワークを介して前記情報サーバに接続される複数のＧＰＳ機能付き携帯通信端末の各々から送信されたプロフィール情報、マッチング条件を識別情報毎に保持する利用者情報データベースと、前記複数のＧＰＳ機能付き携帯通信端末の各々から相手の識別情報と自己の識別情報を受信し、前記利用者情報データベースを参照し相手の識別情報に対するプロフィール情報のうち自己の識別情報に対する自己のマッチング条件に一致する割合からマッチング度を判定し、前記情報サーバから前記通信ネットワークを介して相手の識別情報、自己の識別情報を送信したＧＰＳ機能付き携帯通信端末にマッチングの判定結果を返信するマッチング判定部とを備えることを特徴とする情報サーバを提供する。
【発明の効果】
【００２２】
以上説明したように、本発明によれば、普段すれ違うレベルの身近な人の中から、新しい出会い、同じ趣味などを持つ仲間、友人を求めることが可能になる。このため、ｗｅｂサイト利用による出会い、サークル中間の募集、有料サービスの利用などと比較し、簡易、気軽に、また安価に利用することが可能になる。
さらに、複数のＧＰＳ機能付き携帯通信端末のうち、自己の受信側、相手の送信側、又は、自己の送信側、相手の受信側共に相手を求める意思が明確な時（タイミング）のみならず近接状況で識別情報（ＩＤ）の送受信が行われるので、相手をある程度視認した上で申込が可能になる。
【発明を実施するための最良の形態】
【００２３】
以下、本発明の実施の形態について図面を参照して説明する。
図１は本発明に係るマッチングシステムの概略構成を示すネットワーク図である。本図に示すように、マッチングシステム４００は、主に、複数のＧＰＳ機能付きＧＰＳ機能付き携帯通信端末１００ａ、１００ｂ…、情報サーバ２００、通信ネットワーク３００から構成され、複数のＧＰＳ機能付き携帯通信端末１００ａ、１００ｂの各々は通信機能を備えた情報処理装置であり、情報サーバ２００はワークステーション・サーバ等の情報処理装置であり、複数のＧＰＳ機能付き携帯通信端末１００ａ、１００ｂ及び情報サーバ２００はプログラム制御により動作し、通信ネットワーク３００を介して相互に接続される。
【００２４】
複数のＧＰＳ機能付き携帯通信端末１００ａ、１００ｂのうち１つはユーザの任意の好みの場所で普段すれ違う程度の身近な人の相手の他の１つから識別情報（ＩＤ）を取得し、情報サーバ２００に自己の識別情報（ＩＤ）と取得した相手の他の１つの識別情報（ＩＤ）を送信し、マッチング判定を行わせる。
情報サーバ２００にはネットワーク（ＮＷ）通信部２０１が設けられ、ネットワーク通信部２０１は通信インターフェース（Ｉ／Ｆ）（図示しない）を有し通信ネットワーク３００を介し、情報の送受信を行う。
【００２５】
さらに、情報サーバ２００には利用者情報データベース（ＤＢ）２０２が設けられ、利用者情報データベース２０２は利用者情報として、識別情報（ＩＤ）毎に、プロフィール情報（個人情報）、マッチング条件（相手に求める情報・条件）を保持する。
さらに、情報サーバ２００にはマッチング判定部２０３が設けられ、マッチング判定部２０３は通信ネットワーク３００、ネットワーク通信部２０１を介して、複数のＧＰＳ機能付き携帯通信端末１００ａ、１００ｂの各々から自己の識別番号と取得した相手の他の識別情報（ＩＤ）を受信すると、利用者情報データベース２０２から該当するプロフィール情報を抽出し、マッチングの判定を行い、マッチングの判定結果を返信する。
さらに、情報サーバ２００には制御部２０４が設けられ、制御部２０４は情報サーバ２００の全体の制御を行う。
【００２６】
図２は図１における複数のＧＰＳ機能付き携帯通信端末１００ａ、１００ｂの各々の概略構成を示すブロック図である。
本図に示す複数のＧＰＳ機能付き携帯通信端末１００ａ、１００ｂの各々はＧＰＳ（全地球測位システム）機能を備えたＧＰＳ機能付き携帯通信端末である。
本図に示すように、複数のＧＰＳ機能付き携帯通信端末１００ａ、１００ｂの各々には無線部１０１が設けられ、無線部１０１はアンテナを介して無線通信基地局（図示しない)との間で無線信号を送受信する。
【００２７】
さらに、複数のＧＰＳ機能付き携帯通信端末１００ａ、１００ｂの各々には無線部１０１、ＧＰＳ測位部１０２が設けられ、ＧＰＳ測位部１０２はアンテナを介して図示しない複数のＧＰＳ衛星から発射された電波を受信して複数のＧＰＳ機能付き携帯通信端末１００ａ、１００ｂの各々の位置座標を算出する。
さらに、複数のＧＰＳ機能付き携帯通信端末１００ａ、１００ｂの各々には操作部１０３が設けられ、操作部１０３は各種情報入力を行うテンキー、スクロール、決定キー等から構成される。
【００２８】
さらに、複数のＧＰＳ機能付き携帯通信端末１００ａ、１００ｂの各々には液晶表示部（ＬＣＤ）１０４が設けられ、液晶表示部１０４はテキスト、画像等の表示情報出力を行う。
さらに、複数のＧＰＳ機能付き携帯通信端末１００ａ、１００ｂの各々には音声処理部１０５が設けられ、音声処理部１０５は音声信号処理を行い、音声処理部１０５にはマイクロフォン１０６及びスピーカ１０７が接続され、マイクロフォン１０６及びスピーカ１０７は音声の入出力を行う。
【００２９】
さらに、複数のＧＰＳ機能付き携帯通信端末１００ａ、１００ｂの各々には無線ＩＤ（ＲＦＩＤ）リーダ(リーダライタ）１０８が設けられ、無線ＩＤリーダ１０８はアンテナコイル・メモリなどで構成され自己の識別情報（ＩＤ）を記憶し、自己の識別情報（ＩＤ）を発信し、さらに、所定範囲内の空間（距離）にある相手の無線ＩＤリーダ１０３からの識別情報（ＩＤ）を取得する近距離通信インタフェースである。
【００３０】
なお、無線ＩＤリーダ１０８が自己の識別情報（ＩＤ）を記憶し発信する無線ＩＣタグを有する場合、無線ＩＣタグが無線ＩＤリーダ１０８からパワーを受けてＩＣチップを動作させ、識別情報（ＩＤ）を送信する。
また、無線ＩＤリーダ１０８は識別情報（ＩＤ）と共に簡易なマッチング条件として例えば「サークル仲間募集中、恋人募集中、ボランティア募集中、ゲーム友募集中、…」を保存して任意の１つを選択して発信するようにしてもよい。
【００３１】
さらに、複数のＧＰＳ機能付き携帯通信端末１００ａ、１００ｂの各々にはスピーカ１０９が設けられ、スピーカ１０９は楽音、報知音等を出力する。
さらに、複数のＧＰＳ機能付き携帯通信端末１００ａ、１００ｂの各々にはメモリ１１０が設けられ、メモリ１１０は電話帳情報、送受信メール情報、発着呼情報、プログラム情報を保存する。
【００３２】
さらに、メモリ１１０にはマッチングモード移行条件保存部１１０Ａが設けられ、マッチングモード移行条件保存部１１０Ａは、複数のＧＰＳ機能付き携帯通信端末１００ａ、１００ｂの各々で通信状態からマッチングの判定を行うマッチングモードに移行する位置条件として所定範囲の空間を保持する。
さらに、複数のＧＰＳ機能付き携帯通信端末１００ａ、１００ｂの各々には制御部１１１が設けられ、制御部１１１は複数のＧＰＳ機能付き携帯通信端末１００ａ、１００ｂの各々の全体の制御、すなわち、電話（通話）、メール送受信、ｗｅｂ接続（インターネット接続）、無線ＩＤリーダ１０８、ＧＰＳ測位部１０２等を含む各部の制御を行う。
【００３３】
さらに、制御部１１１にはマッチング情報登録部１１１Ａが設けられ、マッチング情報登録部１１１Ａは通信ネットワーク３００を介して情報サーバ２００の利用者情報データベース２０２にプロフィール情報、マッチング条件のマッチング情報を登録する。
さらに、制御部１１１にはマッチングモード移行制御部１１１Ｂが設けられ、マッチングモード移行制御部１１１ＢはＧＰＳ測位部１０２から所定時間間隔で位置情報を取得し、取得した位置情報とマッチングモード移行条件保存部１１０Ａに保持される位置条件と比較して所定範囲内の空間に位置するか否かに基づきマッチング状態への移行を判定し、判定の結果、マッチングモードへ移行する場合、すなわち、所定の場所(位置）で無線ＩＤリーダ１０８を起動し、相手の無線ＩＤリーダ１０８から識別情報（ＩＤ）を取得し、相手の無線ＩＤリーダ１０８から識別情報（ＩＤ）を取得した場合には自己の識別情報（ＩＤ）と共に情報サーバ２００に送信する。
【００３４】
この場合、識別情報(ＩＤ)と共に簡易のマッチング条件を取得した場合には液晶表示部１０４に取得した識別情報(ＩＤ)、簡易のマッチング条件を表示するようにしてもよい。
図３は図１における利用者情報データベース２０２に保持されるプロフィール情報を説明する図である。
本図に示すように、利用者情報データベース２０２には、識別情報（ＩＤ）毎にプロフィール情報に対して氏名、性別、年令、身長、体重、写真、職業（年収）、住所、電話番号、メールアドレス、ＵＲＬ（Ｕｎｉｆｏｒｍ  Ｒｅｓｏｕｒｃｅ  Ｌｏｃａｔｏｒ）、趣味（読書、音楽鑑賞、映画鑑賞、スポーツ観戦、ドライブ、旅行、バードウオッチング、…）、スポーツ（野球、サッカー、登山、テニス、ウオーキング、…）、ボランティア活動（災害、介助、…）のような個人情報が保持される。なお、住所、電話番号、メールアドレス、ＵＲＬはアクセス情報として使用される。
【００３５】
図４は図１における利用者情報データベース２０２に保持されるマッチング条件を説明する図である。
本図に示すように、利用者情報データベース２０２には、識別情報（ＩＤ）毎に条件・情報を求める相手に対してマッチング条件として性別、年令、身長、体重、職業（年収）、住所、趣味、スポーツ、ボランティア活動が保持される。
【００３６】
上記の例として、識別情報（ＩＤ）「ｘｘｘｘｘ１」に対して、求める相手を『ゲーム友』として、
（１）性別を男女、
（２）年令を２５才〜３５才、
（３）趣味をゲーム
の３項目が相手に求める条件・情報として設定される。
【００３７】
さらに、上記の例として、識別情報（ＩＤ）「ｘｘｘｘｘ２」に対して、求める相手を『恋人』として、
（１）性別を男、
（２）年令を２５才〜３５才、
（３）身長を１７５ｃｍ以上、
（４）職業を弁護士、
（５）年収を１０００万円以上、
（６）趣味をアウトドア系
の６項目が相手に求める条件・情報として設定される。
【００３８】
さらに、上記の例として、識別情報（ＩＤ）「ｘｘｘｘｘ３」に対して、求める相手を『メル友』として、
（１）性別を男女、
（２）年令を３５才〜４５才、
（３）趣味を旅行
の３項目が相手に求める条件・情報として設定される。
【００３９】
さらに、上記の例として、識別情報（ＩＤ）「ｘｘｘｘｘ４」に対して、求める相手を『ボランティア仲間』として、
（１）性別を男女、
（２）年令を２０才〜５０才、
（３）ボランティア活動を災害
の３項目が相手に求める条件・情報として設定される。
【００４０】
さらに、上記の例として、識別情報（ＩＤ）「ｘｘｘｘｘ５」に対して、求める相手を『サークル仲間』として、
（１）性別を女、
（２）年令を４０才〜５０才、
（３）住所を埼玉市内、
（４）趣味を映画鑑賞
の４項目が相手に求める条件・情報として設定される。
【００４１】
一例として、マッチング判定部２０３は、識別情報（ＩＤ）「ｘｘｘｘｘ２」から識別情報（ＩＤ）［ｘｘｘｘｘ３」のマッチング判定を要求された場合、利用者情報データベース２０２に保持されている識別情報（ＩＤ）「ｘｘｘｘｘ２」のマッチング条件に対して、利用者情報データベース２０２に保持されている識別情報（ＩＤ）［ｘｘｘｘｘ３」のプロフィール情報を比較して、例えば、相手に求める(１）から（６）の６項目の条件・情報に対して、（２）年令以外の５項目がヒットして一致する場合には、マッチング判定の一致度Ａを、
Ａ＝（５／６）×１００％
＝８３％
の割合と判定する。
【００４２】
図５は図２におけるメモリ１１０のマッチングモード移行条件保存部１１０Ａに保持されるマッチングモードへの移行位置条件を説明する図である。
本図に示すように、マッチングモード移行条件保存部１１０Ａには東経、緯度（Ｘ、Ｙ）の座標に対して、Ｘ±ΔＸ、Ｙ±ΔＹの所定範囲の空間が位置条件として保持される。
例えば、東経、緯度（Ｘ、Ｙ）の位置座標は自宅、勤務先、通学の最寄駅、最寄のコンビエンスストア、最寄のスーパ、最寄の銀行、最寄の図書館等の位置座標であり、ユーザが任意に設定可能であり、範囲を示す±ΔＸ、±ΔＹも同様に任意設定可能である。±ΔＸ、±ΔＹを広くし過ぎると、相手がいなくても、相手の識別情報（ＩＤ）の取得（サーチ）を絶えず行うことになり、ＧＰＳ機能付き携帯通信端末１００ａ、１００ｂの電池の消耗増となるので、すれ違う人が少ない範囲の空間ではマッチング移行を回避するように設定を行う。
【００４３】
さらに、マッチングモード移行条件保存部１１０Ａに保持される位置条件として所定範囲の空間は複数設定可能とする。例えば、最寄駅、最寄スーパ等の近辺の複数を同時に設定してよい。
マッチングモード移行条件保存部１１０Ａに保持される所定範囲の空間は変更可能である。すなわち、自宅、勤務先、通学先自体はほぼ周囲にいる人の情報は通常得られているが、入社時、転勤時、入学時、転校時に勤務先、通学先を位置条件として一時的に所定範囲の空間が変更して保持されるようにしてもよい。
【００４４】
図６は複数のＧＰＳ機能付き携帯通信端末１００ａ、１００ｂの各々のマッチング情報登録部１１１Ａから情報サーバ２００にプロフィール情報、マッチング条件を登録する動作を説明するフローチャートである。
本図に示すように、ステップ４０１において、複数のＧＰＳ機能付き携帯通信端末１００ａ、１００ｂの各々では、制御部１１１のマッチング情報登録部１１１Ａから無線部１０１、通信ネットワーク３００、ネットワーク通信部２０１を介して情報サーバ２００に対してアクセスを行う。
【００４５】
ステップ４０２において、情報サーバ２００では複数のＧＰＳ機能付き携帯通信端末１００ａ、１００ｂの各々のマッチング情報登録部１１１Ａからアクセスがあると、制御部２０４からアクセスのあったものに対してユーザ情報の入力を要求する。
ステップ４０３において、複数のＧＰＳ機能付き携帯通信端末１００ａ、１００ｂの各々のマッチング情報登録部１１１Ａでは、情報サーバ２００の制御部２０４からネットワーク通信部２０１、通信ネットワーク３００、無線部１０１を介してユーザ情報の入力要求があると、識別情報（ＩＤ）、パスワード（ＰＷ）を送信する。
【００４６】
ステップ４０４において、情報サーバ２００では、ＧＰＳ機能付き携帯通信端末１００ａ、１００ｂの各々のマッチング情報登録部１１１Ａから無線部１０１、通信ネットワーク３００、ネットワーク通信部２０１を介して、識別情報（ＩＤ）、パスワード（ＰＷ）の受信があると、受信があった識別情報（ＩＤ）、パスワード（ＰＷ）によりユーザを認証する。
ステップ４０５において、情報サーバ２００の制御部２０４では識別情報（ＩＤ）、パスワード（ＰＷ）の認証後に、プロフィール情報、マッチング条件の入力を要求する。
【００４７】
ステップ４０６において、複数のＧＰＳ機能付き携帯通信端末１００ａ、１００ｂの各々のマッチング情報登録部１１１Ａでは、情報サーバ２００の制御部２０４からネットワーク通信部２０１、通信ネットワーク３００、無線部１０１を介して、プロフィール情報、マッチング条件の入力要求があると、プロフィール情報、マッチング条件を送信し、マッチング情報登録部１１１Ａの処理を終了する。
【００４８】
ステップ４０７において、情報サーバ２００の制御部２０４では、受信したプロフィール情報、マッチング条件を識別情報（ＩＤ）毎に利用者情報データベース２０２に事前に保持し、処理を終了する。利用者情報データベース２０２に一旦保持したプロフィール情報、マッチング条件を更新することも可能である。
図７は複数のＧＰＳ機能付き携帯通信端末１００ａ、１００ｂの各々におけるマッチングモード移行の動作例を説明するフローチャートである。
【００４９】
本図に示すように、ステップ４１１において、複数のＧＰＳ機能付き携帯通信端末１００ａ、１００ｂの各々では、ＧＰＳ測位部１０２により、所定時間間隔で位置情報を取得する。
ステップ４１２において、マッチングモード移行制御部１１１ＢではＧＰＳ測位部１０２より取得した位置情報をマッチングモード移行条件保存部１１０Ａに保存される位置条件と比較しマッチングモードに移行するべきか否かを判定する。判定の結果、マッチングモードに移行するべきでないと判定した場合には処理を終了する。
【００５０】
ステップ４１３において、判定の結果、マッチングモード移行制御部１１１Ｂは、マッチングモードに移行するべきと判定した場合には無線ＩＤリーダ１０８を起動する。これにより、無線ＩＤリーダ１０８は複数のＧＰＳ機能付き携帯通信端末１００ａ、１００ｂのうち自己を除く相手の識別情報(ＩＤ)を取得する処理を行う。
ステップ４１４において、マッチングモード移行制御部１１１Ｂは、無線ＩＤリーダ１０８が相手の識別情報（ＩＤ）を取得したか否かを判定し、判定の結果、相手の識別情報（ＩＤ）を取得しない場合には処理を終了する。
【００５１】
ステップ４１５において、判定の結果、識別情報（ＩＤ）を取得した場合には、制御部１１１は、取得した相手の識別情報（ＩＤ）と共に自己の識別情報（ＩＤ）を、無線部１０１、通信ネットワーク３００、ネットワーク通信部２０１を介して、情報サーバ２００に送信する。情報サーバ２００では、マッチング判定部２０３が自己の識別情報（ＩＤ）と相手の識別情報（ＩＤ）とからマッチング判定を行う。
【００５２】
ステップ４１６において、制御部１１１は、情報サーバ２００の制御部２０４から、ネットワーク通信部２０１、通信ネットワーク３００、無線部１０１を介して、マッチング結果、相手のアクセス情報を受信する。
ステップ４１７において、制御部１１１はマッチング判定の結果に応じた報知、表示出力方法の形態を選択、設定する。
【００５３】
ステップ４１８において、マッチング判定結果、相手のアクセス情報を表示出力する。
図８は図７のステップ４１６における表示出力方法選択例を説明する図である。本図（ａ）に示すように、複数のＧＰＳ機能付き携帯通信端末１００ａ、１００ｂの各々の待ち受け時に液晶表示部１０４には通信状態としてアンテナの受信状態３１０、電池の充電状態３１１、年月日時刻３１２が表示される。
【００５４】
本図(ｂ)に示すように、複数のＧＰＳ機能付き携帯通信端末１００ａ、１００ｂの各々のマッチングモード移行時に液晶表示部１０４には通信状態に代えてマッチング状態が表示出力される。
マッチング状態としてマッチング判定結果３２１、相手のアクセス情報３２２が表示出力される。出力表示方法は複数用意され、表示出力方法の選択の一例として、マッチング判定結果３２１はマッチング度（一致度）をハートマークの図形の個数として表示出力され、相手のアクセス情報３２２は相手のメールアドレスで表示出力される。
【００５５】
さらに、別の表示出力方法として、マッチング判定結果３２１は、マッチング度（一致度）を割合（％）として表示され、相手のアクセス情報３２２は、ＵＲＬ、電話番号、又は住所として表示されるようにしてもよい。
また、音声処理部１０５を介してマッチング判定結果３２１、相手のアクセス情報を音声で知らせるようにしてもよい。
【００５６】
マッチング判定結果３２１、相手のアクセス情報３２２の受信時にスピーカ１０９を介して受信の報知を行うようにしてもよい。
特に、マッチング度に応じて、スピーカ１０９を介して、報知の音色、楽音の種類等を変化させてもよい。
したがって、本発明によれば、普段すれ違うレベルの身近な人の中から、新しい出会い、同じ趣味などを持つ仲間、友人を求めることが可能になる。このため、ｗｅｂサイト利用による出会い、サークル中間の募集、有料サービスの利用などと比較し、簡易、気軽に、また安価に利用することが可能になる。
【実施例１】
【００５７】
図９は図７の変形例を説明するフローチャートである。本図に示すように、図７と比較して、ステップ４２５において、判定の結果、識別情報（ＩＤ）と共に簡易のマッチング条件を取得した場合には制御部１１１は液晶表示部１０４に取得した識別情報（ＩＤ）、簡易のマッチング条件（例えば、「サークル仲間募集中、メル友募集中、恋人募集中、ボランティア募集中、ゲーム友募集中、…」から選択された１つ）を表示させる。
【００５８】
ステップ４２６において、操作部１０３からの要求に基づいて、制御部１１１は、取得した相手の識別情報（ＩＤ）と共に自己の識別情報（ＩＤ）を、無線部１０１、通信ネットワーク３００、ネットワーク通信部２０１を介して、情報サーバ２００に送信する。情報サーバ２００では、マッチング判定部２０３が自己の識別情報（ＩＤ）と相手の識別情報（ＩＤ）とからマッチング判定を行う。
【００５９】
このようにして、相手から求めている簡易のマッチング条件を確認した後に自己の識別情報（ＩＤ）と共に取得した相手の識別情報（ＩＤ）を送信することが可能になる。
【実施例２】
【００６０】
図１０は図２の変形例であり、複数のＧＰＳ機能付き携帯通信端末１００ａ、１００ｂの各々の概略構成を示すブロック図である。本図に示すように、図２と比較して、無線ＩＤリーダ１０８に代わり、赤外線データ通信部（ＩＲＤＡ）１２０が設けられ、赤外線データ通信部１２０は赤外線を用いて識別情報（ＩＤ）のデータの送受信を行う近距離通信インタフェースである。
【００６１】
マッチングモード移行制御部１１１Ｂは、マッチングモードへ移行する場合、赤外線データ通信部１２０を起動し、相手の赤外線データ通信部１２０と識別情報（ＩＤ）の送受信を行う。
前述の無線ＩＤリーダ１０８の場合では、相手から識別情報（ＩＤ）を受信する場合だけ起動が行われていたが、赤外線データ通信部１２０の場合には識別情報（ＩＤ）を送受信する場合に起動が行われる。送信時に赤外線データ通信部１２０を常時起動することによる電池の消耗を回避するためである。
【００６２】
図１１は図１０の複数のＧＰＳ機能付き携帯通信端末１００ａ、１００ｂの各々におけるマッチングモード移行の動作例を説明するフローチャートである。
本図に示すように、図７と比較し、ステップ４３３において、判定の結果、マッチングモード移行制御部１１１Ｂは、マッチングモードに移行するべきと判定した場合には赤外線データ通信部１２０を起動し、自己の識別情報（ＩＤ）、相手の識別情報（ＩＤ）の送受信を以下のように行う。
【００６３】
ステップ４３４において、マッチングモード移行制御部１１１Ｂは、赤外線データ通信部１２０が相手の識別情報（ＩＤ）を受信したか否かを判定し、判定の結果、相手の識別情報（ＩＤ）を取得しない場合には処理を終了する。
したがって、本発明によれば、複数のＧＰＳ機能付き携帯通信端末１００ａ、１００ｂのうち、自己の受信側、相手の送信側、又は、自己の送信側、相手の受信側共に相手を求める意思が明確な時（タイミング）のみならず近接状況で識別情報（ＩＤ）の送受信が行われるので、相手をある程度視認した上での申込が可能になる。
【００６４】
以上の説明では、近距離通信インタフェースの例として赤外線データ通信部１２０を用いたが、これに代わり、Ｂｌｕｅｔｏｏｔｈデータ通信部１２１（図示しない）を用いてもよい。Ｂｌｕｅｔｏｏｔｈデータ通信部１２１はＢｌｕｅｔｏｏｔｈを用いた近距離通信インタフェースである。同様の作用効果を得ることが可能である。
【産業上の利用可能性】
【００６５】
以上の説明は携帯通信端末について行ったが、携帯電話機、ＰＤＡ（携帯情報端末）等に対しても本発明の適用が同様に可能である。
【図面の簡単な説明】
【００６６】
【図１】本発明に係るマッチングシステムの概略構成を示すネットワーク図である。
【図２】図１における複数のＧＰＳ機能付き携帯通信端末１００ａ、１００ｂの各々の概略構成を示すブロック図である。
【図３】図１における利用者情報データベース２０２に保持されるプロフィール情報を説明する図である。
【図４】図１における利用者情報データベース２０２に保持されるマッチング条件を説明する図である。
【図５】図２におけるメモリ１１０のマッチングモード移行条件保存部１１０Ａに保持されるマッチングモードへの移行位置条件を説明する図である。
【図６】複数のＧＰＳ機能付き携帯通信端末１００ａ、１００ｂの各々から情報サーバ２００にプロフィール情報、マッチング条件を保持する動作を説明するフローチャートである。
【図７】複数のＧＰＳ機能付き携帯通信端末１００ａ、１００ｂの各々におけるマッチングモード移行の動作例を説明するフローチャートである。
【図８】図７のステップ４１６における出力方法選択例を説明する図である。
【図９】図７の変形例を説明するフローチャートである。
【図１０】図２の変形例であり、複数のＧＰＳ機能付き携帯通信端末１００ａ、１００ｂの各々の概略構成を示すブロック図である。
【図１１】図１０の複数のＧＰＳ機能付き携帯通信端末１００ａ、１００ｂの各々におけるマッチングモード移行の動作例を説明するフローチャートである。
【符号の説明】
【００６７】
１００ａ、１００ｂ…携帯通信端末
１０１…無線部
１０２…ＧＰＳ測位部
１０３…操作部
１０４…液晶表示部
１０５…音声処理部
１０６…マイクロフォン
１０７、１０９…スピーカ
１０８…無線ＩＤリーダ
１１０…メモリ
１１０Ａ…マッチングモード移行条件保存部
１１１、２０４…制御部
１１１Ａ…マッチング情報登録部
１１１Ｂ…マッチングモード移行制御部
１２０…赤外線データ通信部
１２１…Ｂｌｕｅｔｏｏｔｈデータ通信部
２００…情報サーバ
２０１…ネットワーク通信部
２０２…利用者情報データベース
２０３…マッチング判定部
３００…通信ネットワーク
３１０…アンテナの受信状態
３１１…電池の充電状態
３１２…年月日時刻
３２１…マッチング判定結果
３２２…相手のアクセス情報
【図１】
2006172223.tif 000003
【図２】
2006172223.tif 000004
【図３】
2006172223.tif 000005
【図４】
2006172223.tif 000006
【図５】
2006172223.tif 000007
【図６】
2006172223.tif 000008
【図７】
2006172223.tif 000009
【図８】
2006172223.tif 000010
【図９】
2006172223.tif 000011
【図１０】
2006172223.tif 000012
【図１１】
2006172223.tif 000013